(57)【要約】【課題】簡易な構造で出し入れの簡単な光ディスクの収納袋を提供する。【解決手段】  光ディスク７０を収納するために書籍に貼付される収納袋１であって、光ディスク７０を収容する扁平な外装１０と、光ディスク７０を保持したまま外装１０に対して出し入れされるガイドシート２０を有してなり、外装１０が、ガイドシート２０を出し入れ可能な開口部１１と、開口部１１よりも外方まで延在したフラップ部１２と、フラップ部１２と外装１０の境界に形成されたティアテープ１５とを備え、ガイドシート２０が、外装１０に収容された位置においてフラップ部１２の位置に相当する引き出しつまみ２２と、光ディスク７０を保持するための折曲部２４とを備え、更に、フラップ部１２と引き出しつまみ２２とを接着する。【選択図】図１
2011105344.tif 000002
【特許請求の範囲】
【請求項１】
情報記録媒体を収納するために対象物に貼付される収納袋であって、
前記情報記録媒体を収容する扁平な外装と、前記情報記録媒体を保持したまま前記外装に対して出し入れされるガイドシートを有してなり、
前記外装が、前記ガイドシートを出し入れ可能な開口部と、当該外装の表面から連続して形成され前記開口部よりも外方まで延在したフラップ部と、当該フラップ部と前記外装表面の境界に形成された切離し部と、当該外装の裏面に備わる貼付部とを備え、
前記ガイドシートが、前記外装に収容された位置において前記フラップ部の位置に相当する被把持部と、前記情報記録媒体を保持するための保持部とを備え、
更に、前記フラップ部と前記被把持部とが接着手段によって接着可能とされている  
ことを特徴とする情報記録媒体の収納袋。
【請求項２】
請求項1において、
前記保持部が、前記ガイドシートの一辺を折り曲げて構成されている
ことを特徴とする情報記録媒体の収納袋。
【請求項３】
請求項１または２において、
前記ガイドシートの表面に保護部材が備わっている
ことを特徴とする情報記録媒体の収納袋。
【請求項４】
対象物に貼り付ける収納袋を用いて情報記録媒体を収納する方法であって、
前記情報記録媒体をガイドシートに保持させる工程と、
前記情報記録媒体を保持したガイドシートを外装内に挿入する行程と、
前記ガイドシートの一部と前記外装の一部とを接着することにより前記情報記録媒体を前記外装内に封止する封止行程と、
前記情報記録媒体が封止された前記外装を対象物に貼付する行程と、を経る
ことを特徴とする情報記録媒体の収納方法。
【発明の詳細な説明】
【技術分野】
【０００１】
本発明は、情報記録媒体を収納する収納袋であって、特に詳しくは、主に書籍などの印刷物に貼付された状態で情報記録媒体を収納することができる収納袋に関するものである。
【背景技術】
【０００２】
近年、書籍の付録等として、ＣＤ（コンパクトディスク）やＤＶＤ（デジタルバーサタイルディスク）に代表される情報記録媒体が収納袋に入れられた状態で書籍の奥付などに貼付されている。これらの情報記録媒体には、例えば、書籍情報を補足するものとして、文字情報、音情報、静止画像、動画、コンピュータプログラム等様々な情報が記録されている。
【０００３】
一方で情報記録媒体を書籍に貼付して収納できる収納袋として、例えば、特許文献１が公知である。
【０００４】
特許文献１に記載の袋体は矩形の不織布とプラスティックフィルムの周縁部が熱融着によって接合されて扁平な袋状をなしている。また袋体の上辺近傍には、切り込みと共に開封するためのティアテープが設けられている。
【０００５】
封入された情報記録媒体を取り出す場合には、切り込み部分からティアテープの一端を指などでつまんで引っ張る。これによりティアテープに沿ってプラスティックフィルムの一部が切り取られて開封される。更にこの開封部分から指などを袋体の中に入れて情報記録媒体を直接把持して取り出す。
【先行技術文献】
【特許文献】
【０００６】
【特許文献１】実用新案登録第３１１５５３２号公報
【発明の概要】
【発明が解決しようとする課題】
【０００７】
しかしながら、上記収納袋の場合、情報記録媒体を取り出すには指などを袋の中に入れて把持する必要があることから、プラスティックフィルムなどで構成される袋体に負荷が掛かり誤って破る恐れがある。特に繰り返し出し入れする場合にはその可能性が高く、破損した後はそのままでは情報記録媒体を適切に収納しておくことができない。
【０００８】
また、指をあまり奥まで入れると上記破損の可能性が高くなるので、使用者は心理的に指をあまり奥まで入れずに取り出そうとする。そうすると特に、ＣＤやＤＶＤなどの情報記録媒体の場合には円盤の外周端面を両側から把持することが困難となるため、不可避的に記録面を指で摘んで取り出すことになり、記録面の汚損、キズの原因ともなりかねない。
【０００９】
更に、引き出す際に、情報記録媒体の記録面と袋体の内面とが摺動するため、記録面にキズが付いたり、静電気が発生するなどの不具合も生じ得る。これは例えば記録面と対向する面に不織布などが配置されていても程度の差こそあれ状況は変わらない。
【００１０】
本発明は、上記課題を解決するべく生み出された発明であって、簡易な構成を採用しつつも、情報記録媒体の確実な収納と簡単な出し入れを実現する収納袋である。
【課題を解決するための手段】
【００１１】
上記課題を解決するべく、請求項１に記載の発明は、情報記録媒体を収納するために対象物に貼付される収納袋であって、前記情報記録媒体を収容する扁平な外装と、前記情報記録媒体を保持したまま前記外装に対して出し入れされるガイドシートを有してなり、前記外装が、前記ガイドシートを出し入れ可能な開口部と、当該外装の表面から連続して形成され前記開口部よりも外方まで延在したフラップ部と、当該フラップ部と前記外装表面の境界に形成された切離し部と、当該外装の裏面に備わる貼付部とを備え、前記ガイドシートが、前記外装に収容された位置において前記フラップ部の位置に相当する被把持部と、前記情報記録媒体を保持するための保持部とを備え、更に、前記フラップ部と前記被把持部とを接着手段によって接着可能としている。
【００１２】
また、請求項２に記載の発明では、上記に加えて、前記保持部を、前記ガイドシートの一辺を折り曲げて構成している。
【００１３】
また、請求項３に記載の発明では、上記に加えて、前記ガイドシートの表面に保護部材が備わっている。
【００１４】
また、見方を変えると本発明は、請求項４に記載したように、対象物に貼り付ける収納袋を用いて情報記録媒体を収納する方法であって、前記情報記録媒体をガイドシートに保持させる工程と、前記情報記録媒体を保持したガイドシートを外装内に挿入する行程と、前記ガイドシートの一部と前記外装の一部とを接着することにより前記情報記録媒体を前記外装内に封止する封止行程と、前記情報記録媒体が封止された前記外装を対象物に貼付する行程と、を経ることを特徴とする情報記録媒体の収納方法として捉えることも可能である。
【発明の効果】
【００１５】
請求項１の発明では、情報記録媒体を取り出す際に、切離し部で外装からフラップ部を切り離した後、被把持部を把持して情報記録媒体をガイドシートと共に引き出せるので、指を開口部の奥にまで入れる必要がなく、外装に無理な負荷が掛からない。即ち、繰り返し出し入れを行った場合でも外装が破損する等の状況を回避できる。また、情報記録媒体の特に記録面や電気的接触部などに直接触れることなく出し入れできるので、記録面等の汚損やキズの発生も防止できる。更に、ガイドシートと一体となって出し入れされるので、出し知れの際に記録面等が収納袋の内周面と摺動することがなく、係る観点からも記録面等のキズを防止している。そして何より、開口部の奥にまで指を入れる必要がなく、外装開口部の外方に位置する被把持部を摘んで引き出せるので、出し入れ自体が非常に容易である。
【００１６】
請求項２の発明では、上記に加えて、保持部を、ガイドシートの一辺を折り曲げるのみという非常にシンプルな構成で実現しており、低コストでの機能の発揮を可能としている。
【００１７】
請求項３の発明では、上記に加えて、出し入れの際に万が一情報記録媒体が動いて記録面とガイドシート表面が摺動した場合も、キズの発生などを最小限に抑えることが可能となる。
【００１８】
また請求項４の発明では、ガイドシートの一部（被把持部）と外装の一部（フラップ部）とを接着することによって情報記録媒体を収納袋内に確実に封止することが可能となる。
【図面の簡単な説明】
【００１９】
【図１】本発明に係る収納袋から光ディスク（情報記録媒体）を取り出している状態を示した斜視図である。
【図２】（ａ）が外装の正面図、（ｂ）が外装の裏面図である。
【図３】（ａ）がガイドシートの正面図、（ｂ）がガイドシートの右側面図である。
【図４】本発明に係る収納袋を利用して光ディスクを収納する手順を示した図であって、（ａ）がガイドシートに光ディスクを載置（保持）する場面、（ｂ）が光ディスクを保持したガイドシートを外装に挿入する場面、（ｃ）が剥離シートを剥がして引き出しつまみ（被把持部）とフラップ部を接着して光ディスクを収納袋内に封止する場面、（ｄ）が外装裏面の剥離シートを剥がして書籍（対象物）に貼付する直前の状態を示している。
【図５】（ａ）が光ディスクを収容した収納袋が書籍に貼付されている状態を示した斜視図、（ｂ）がＸ−Ｘ線に沿う断面図である。
【図６】（ａ）がティアテープを引っ張って収納袋を開封している状態を示した斜視図、（ｂ）が引き出しつまみ（被把持部）を把持してガイドシートと共に光ディスクを取り出している状態を示した斜視図である。
【図７】本発明の第２の実施例を示したものであり、情報記録媒体としてＮＡＮＤ型フラッシュメモリが収納されている状態を示した斜視図である。
【発明を実施するための形態】
【００２０】
以下、添付図面を参照しつつ、本発明の実施形態につき詳細に説明を加える。なお、図面上は理解容易のため、各種部分の大きさや厚み、位置などを誇張して表現している部分があり、必ずしも実際の製品と一致しない場合がある。
【００２１】
〈収納袋の構造〉
本発明の実施形態の一例として示す収納袋1は、光ディスク（情報記録媒体）７０を収納するために書籍（の例えば奥付け部分など）に貼付される収納袋であって、光ディスク７０を収容する扁平な外装１０と、光ディスク７０を保持したまま外装１０に対して出し入れされるガイドシート２０を有している。
【００２２】
図２に示す外装１０は、本実施形態では透明な樹脂性のフィルムで構成されており、収容される光ディスク７０を外部から視認することが可能である。この外装１０は幅Ｗが同じで高さＨの異なる２枚の樹脂性のフィルムの周縁が熱融着により袋状に構成されている。より具体的には、外装１０の表面１０ａ側となる高さＨの大きな樹脂フィルムと外装１０の裏面１０ｂ側となる高さＨの小さな樹脂フィルムとの、開口部（ガイドシート２０を出し入れするための開口）１１を除く３辺が縁を揃えて熱融着されており、開口部１１のみ高さＨが段違いとなって開口した袋状をなしている。この段違いとなって外装１０の表面１０ａから連続して形成され開口部１１から外方（上方）にはみ出すように延在している部分がフラップ部１２である。
【００２３】
フラップ部１２と外装１０の表面１０ａとの境界にはティアテープ（切離し部）１５が水平方向に設けられている。本実施形態においては、このティアテープ１５の高さ位置が外装１０の裏面１０ｂ側の樹脂性のフィルムの上端位置と略同じとされている。また、このティアテープの一端側に切り込み１４が設けられており、ティアテープ１５の一端を指で摘むことが可能となっている。また、ティアテープ１５の上下には、所定の間隔をあけて切離し予定ライン１６が設けられており、ティアテープ１５を引っ張ると当該切離し予定ライン１６に沿ってフラップ部１２を外装１０の表面１０ａから切り離すことが可能に構成されている。
【００２４】
また外装１０の裏面１０ｂには糊（貼付部）１８ｂが塗られ更に剥離シート１８ａが備わっている。また、フラップ部１２の裏面にも糊（接着手段）１９ｂが塗られ更に剥離シート１９ａが備わっている。
【００２５】
図３に示すガイドシート２０は、正面視略矩形の扁平なシートである。本実施形態においては腰のある厚紙を型抜きして作られている。ガイドシート本体部分は、丁度光ディスク７０の直径より僅かに大きい程度の高さと幅を有しており、上部に引き出しつまみ（被把持部）２２が一体成形されている。この引き出しつまみ２２は、人の指で摘みやすいだけの高さ方向の幅（例えば少なくとも１ｃｍ程度）を有するように構成されている。またこの引き出しつまみ２２の位置は、ガイドシート２０が外装１０の奥にまで挿入された位置において丁度フラップ部１２の位置に相当する位置となるように構成されている。
【００２６】
一方、ガイドシート２０の下辺部には手前方向（正面方向）に折り曲げて形成された折曲部（保持部）２４が設けられている。この折曲部２４が設けられていることにより光ディスク７０が当該折曲部２４に保持される。
【００２７】
〈収納袋の作用・機能〉
次に、本発明に係る収納袋１を用いて光ディスク７０を収納する方法を手順に沿って説明する。
【００２８】
先ず、ガイドシート２０上に、収容したい光ディスク７０を載置する。ガイドシート２０には折曲部（保持部）２４が設けられているので、この折曲部２４とガイドシート２０の本体との間に光ディスク７０を引っ掛けるよう（挟むように）に載置する。
【００２９】
その後、光ディスク７０を載置した（保持した）ガイドシート２０を、折曲部２４側から外装１０に挿入する。このとき、光ディスク７０が外装１０の正面側に位置するように、即ち折曲部２４が外装１０の正面側に位置するように挿入する。
【００３０】
ガイドシート２０を外装１０の奥にまで挿入すると、丁度、フラップ部１２と引き出しつまみ２２とが重なる位置となるので、フラップ部１２の裏面に設けられている剥離シート１９ａを剥がして糊１９ｂを露出させ、フラップ部１２と引き出しつまみ２２とを押し当たるようにして接着する。これにより、光ディスク７０は、外装１０の中に封止された状態となる。より詳細には、外装１０の正面１０ａ側の樹脂フィルムとガイドシート２０に周りを取り囲まれるように封止される（図５（ｂ）参照）。
【００３１】
次に、外装１０の裏面１０ｂに備わる剥離シート１８ａを剥がして糊１８ｂを露出させ、書籍の奥付部分などに貼り付ける（図５（ａ）参照）。
【００３２】
なお、上記では、収納袋１に光ディスク７０を封入した後、書籍に貼付しているが、必ずしもこの手順に限られない。例えば、予め外装１０を書籍に貼付しておき、その後、ガイドシート２０と共に光ディスク７０を外装１０に封入する手順であってもよい。
【００３３】
次に、光ディスク７０を収納袋１から取り出す手順について図６を参照しつつ説明する。
【００３４】
最初に、図６（ａ）に示しているように、ティアテープ１５を摘んで手前方向に引っ張る。これにより、光ディスク７０の封入が解かれると同時に、フラップ部１２が外装１０から切り離される。
【００３５】
次に、引き出しつまみ（被把持部）２２を指で摘んでガイドシート２０を引き出す。光ディスク７０は折曲げ部２４によってガイドシート２０に保持されているので、ガイドシート２０を引き出すことにより光ディスク７０も同時に引き出される。
【００３６】
その後は、光ディスク７０の外周端面を把持して当該光ディスク７０を再生装置等にて使用する。
【００３７】
このように、本発明に係る収納袋１では、光ディスク７０を取り出す際に、ティアテープ１５で外装１０からフラップ部１２を切り離した後、引き出しつまみ２２を把持して光ディスク７０をガイドシート２０と共に引き出せるので、指を開口部１１の奥にまで入れる必要がなく、外装１０に無理な負荷か掛からない。即ち、繰り返し出し入れを行った場合でも外装１０が破損する等の状況を回避できる。また、光ディスク７０の特に記録面に直接触れることなく出し入れできるので、記録面の汚損やキズの発生も防止できる。更に、ガイドシート２０と一体となって出し入れされるので、出し知れの際に記録面が収納袋１０の内周面と摺動することがなく、係る観点からも記録面のキズを防止している。そして何より、開口部１１の奥にまで指を入れる必要がなく、引き出しつまみ２２を摘んで引き出せるので、光ディスク７０の出し入れ自体が非常に容易である。
〈その他の実施例・使用例〉
【００３８】
なお上記では、ガイドシート２０が腰のある厚紙で構成されているに過ぎなかったが、例えば、ガイドシート２０の表面に保護部材（不織布のシートなど）を備えて構成してもよい。本発明では、光ディスク７０がガイドシート２０と共に出し入れされるので、光ディスク７０の記録面がガイドシート２０と摺動することは殆どないが、保護シートを備えることで、記録面の保護がより万全となる。
【００３９】
また、上記では、切離し部をティアテープ１５として説明しているが、フラップ部１２の切離しができる限りにおいてその他の構成を採用することも可能である。例えば、鎖線状に切り込みが入っており、引き出しつまみ２２をある程度の力で引っ張ることによって、当該鎖線状の切り込みに沿ってフラップ部２２が切り離されるといった構成でもよい。また、繰り返し貼付可能な粘着シール等により一時的に切離し、再度ガイドシート２０を挿入した際に再び貼付して再封入可能な構成であってもよい。
【００４０】
また、上記説明では、保持部として、ガイドシート２０の下辺部が手前方向（正面方向）に折り曲げて構成されていたが、当該構成に限定されるものではない。要するに、ガイドシート２０を引き出す際に光ディスク（情報記録媒体）７０が共に引き出されるような構成であればよい。例えば、光ディスク７０の形状に相当するような凹みがガイドシート２０に形成されていて、当該凹みに嵌合するように保持されていてもよい。また、ガイドシート２０の一部が突起しており、当該突起が光ディスク７０に引っかかるように保持する構成であってもよい。また、ガイドシート２０の一部に切り込みが設けられており、当該切り込みに光ディスク７０の一部が刺合するような構成であってもよい。
【００４１】
また、上記説明では、書籍に貼り付ける収納袋として説明しているが、貼り付け対象（対象物）は書籍に限定されるものではない。例えばチラシなどの広告物をはじめ広く印刷物などに貼り付けて使用することも可能である。
【００４２】
また、上記説明では、情報記録媒体としてＣＤやＤＶＤに代表される「光ディスク」を例に説明しているが、これに限られるものではない。例えば、ＮＡＮＤ形フラッシュメモリや磁気ディスクなど、情報記録媒体として利用されており、書籍等の対象物に添付可能な程度に薄型あるいは扁平性を備えたものであるならば全てに適用することができる。即ち、本発明は上記光ディスクにのみ適用が限定されるものではない。
【００４３】
例えば、図７に示しているような実施例として実現できる。なお図７では、前述した収納袋１と構造的若しくは機能的に同一又は類似する部分について数字下２桁が同一の符号を付して表現することとし、重複説明は省略する。
【００４４】
また、各部の材質などは目的やコストに応じて適宜変更可能である。例えば、上記では外装１０が透明な樹脂フィルムであったが、不透明、半透明であってもよいし、これらが組み合わされていてもよい。勿論樹脂フィルム以外にも紙などを利用してもよい。また、ガイドシート２０は上記では腰のある厚紙で構成されていたが、例えば、樹脂で構成されていてもよい。
【符号の説明】
【００４５】
１・・・収納袋
１０・・・外装
１０ａ・・・外装表面
１０ｂ・・・外装裏面
１１・・・開口部
１２・・・フラップ
１４・・・切り込み
１５・・・ティアテープ（切離し部）
１６・・・切離し予定ライン
１８ａ、１９ａ・・・剥離テープ
１８ｂ、１９ｂ・・・糊
２０・・・ガイドシート
２２・・・引き出しつまみ（被把持部）
２４・・・折曲部（保持部）
７０・・・光ディスク（情報記録媒体）
８０・・・書籍（対象物）
【図１】
2011105344.tif 000003
【図２】
2011105344.tif 000004
【図３】
2011105344.tif 000005
【図４】
2011105344.tif 000006
【図５】
2011105344.tif 000007
【図６】
2011105344.tif 000008
【図７】
2011105344.tif 000009